(57)【特許請求の範囲】
【請求項１】
外壁パネルやサッシが水平方向に並列する外壁の縦目地部に沿い外壁裏面側に設けられる下地材と、外壁下縁部に沿って設けられる水切り材の外壁裏面側で上方に延びる上延部とに跨がって貼設されるシート状の防水材であって、
上辺にＶ字形状の切り込みが形成されていることを特徴とする防水材。
【請求項２】
裏面が粘着材付きになされていることを特徴とする請求項１記載の防水材。
【発明の詳細な説明】
【０００１】
【発明の属する技術分野】
本発明は、外壁縦目地部の下地材と水切り材とに跨がって貼設される防水材に関する。
【０００２】
【従来の技術】
従来、実公平４−１２６７号公報にサッシ枠と外壁の防水構造が記載されている。上記公報記載のサッシ枠と外壁の防水構造は、窓枠と外壁との間に配置される水切り材と水密材とを具備したものである。
また、図３に示すように、従来の外壁縦目地部４の防水構造は、外壁パネル３のフレーム３１がリベット固定により下地材５に貼設された発泡ポリエチレンシート５１を圧縮することで成り立っていた。
【０００３】
【発明が解決しようとする課題】
しかしながら、上記従来の外壁縦目地部４の防水構造に、図４（イ）図に示すようなサッシ枠７と水切り材６が設置された場合、図４（ロ）図に示すように、外壁パネル３と下地材５の発泡ポリエチレンシート５１との間に水切り材６が挟み込まれた仕様となり、ピンホールＰが発生し、不完全な防水構造となる。
【０００４】
上記ピンホールＰによる防水構造の不具合をなくすために、図５に示すように、下地材５と水切り材６とに跨がって四角形の防水材１Ａを貼設すると、縦目地部裏面側の水滴Ｗが、防水材１Ａの上辺に溜まり、横走りして室内側に侵入するという問題があった。
【０００５】
本発明は、このような従来の防水材における問題点に着目してなされたものであり、その目的とするところは、従来の防水材における問題点を解決し、縦目地部裏面側の水滴が横走りして室内側に侵入することを防止できる防水材を提供するにある。
【０００６】
【課題を解決するための手段】
上記目的を達成するために、請求項１記載の発明は、外壁パネルやサッシが水平方向に並列する外壁の縦目地部に沿い外壁裏面側に設けられる下地材と、外壁下縁部に沿って設けられる水切り材の外壁裏面側で上方に延びる上延部とに跨がって貼設されるシート状の防水材であって、
上辺にＶ字形状の切り込みが形成されていることを特徴としている。
【０００７】
また、請求項２記載の発明は、請求項１記載の防水材において、裏面が粘着材付きになされていることを特徴としている。
【０００８】
（作用）
請求項１記載の本発明の防水材においては、上辺にＶ字形状の切り込みが形成されているので、縦目地部裏面側の水滴がＶ字状切り込みの真ん中に集まり、水切り材の屋外側面を伝わって屋外に排出される。従って、縦目地部裏面側の水滴が横走りして室内側に侵入することを防止できる。
【０００９】
請求項２記載の本発明の防水材においては、さらに、裏面が粘着材付きになされているので、この粘着材で防水材が水切り材とくっつき、外壁施工時に水切り材が下方に下がっても、防水材も水切り材と一体で下がり、防水材と水切り材の相対位置がずれることはない。従って、防水材を所定の位置に貼設でき、確実な防水性を確保できる。
【００１０】
【発明の実施の形態】
次に、本発明の実施の形態を図面を参照しながら説明する。
図１と図２は本発明の一実施例であって、図１は外壁を取り外した状態で示す防水材を具備する外壁防水構造の斜視図、図２は防水材であって、（イ）図は正面図、（ロ）図は底面図である。
図において、１は防水材、２は外壁である。
【００１１】
本実施例の防水材１は、図１に示すように、外壁２の縦目地部４に沿って外壁２の裏面側に設けられた下地材５（スタッド）と、この下地材５と直交する水切り材６とに跨がって貼設されるものである。
上記防水材１は、図２に示すように、厚さが約３ｍｍのシート状であって、ＥＰＤＭ（エチレン−プロピレン−ジエン−ターポリマー）発泡体やポリウレタン発泡体等の柔軟性を備えた材料で形成されている。
防水材１の上辺には、Ｖ字形状の切り込み１１が形成され、裏面がブチルゴム系の粘着材１２付きになされている。
【００１２】
上記外壁２は、水平方向に並列しフレーム３１付きになされた外壁パネル３、３で構成されているが、外壁パネル３とサッシ（不図示）とが並列するものであってもよい。
上記外壁２の下方には、サッシ上枠７を備えたサッシが設けられ、この外壁２の下縁部２１とサッシ上枠７との間に水切り材６が配設されている。
【００１３】
上記外壁の縦目地部４に沿って外壁２裏面側に設けられている下地材５は、断面コ字形状の型鋼であって、外壁パネル３の取付け面には発泡ポリエチレンシート５１が貼設されている。
【００１４】
また、上記水切り材６は、外壁２の下縁部２１とサッシ上枠７との間に配置され屋外方向に下り勾配にされた傾斜部６１と、この傾斜部６１の屋外側端部から下方に延びる下延部６３と、傾斜部６１の屋内側端部から外壁２の裏面側で上方に延びる上延部６２とを有している。
そして、傾斜部６１の裏面側に水密材６４が設けられ、上延部にはブチルテープ６５が貼設されている。
【００１５】
つぎに、上記防水材１を使用した水切り材６と外壁２の施工方法について説明する。
まず、サッシ上枠７の上に水切り材６を載せ、上延部６２を下地材５に貼設された発泡ポリエチレンシート５１と密着させ、下延部６３をサッシ上枠７の屋外側面に被せる。
そして、防水材１を下地材５と水切り材６の外壁２裏面側で上方に延びる上延部６２とに跨がって貼設する。この段階では、まだ傾斜部６１の裏面側に設けられている水密材６４は押し潰されていない。
【００１６】
ついで、上記水切り材６の傾斜部６１の上に外壁パネル３、３を並列してセットする。この際、外壁パネル３の自重によって水切り材６が下方に下がり、傾斜部６１の裏面側の水密材６４が押し潰され、サッシ上枠７と水切り材との間を水密にする。
その後、外壁パネル３のフレーム３１と下地材５とをリベット等で固着し、下地材５に貼設された発泡ポリエチレンシート５１を圧縮することで外壁パネル３と下地材５との間を水密にする。
【００１７】
（実施例の作用）
本実施例の防水材１によると、上辺にＶ字形状の切り込み１１が形成されているので、図１に示すように、縦目地部４裏面側の水滴ＷがＶ字状切り込み１１の真ん中に集まり、水切り材６の屋外側面を伝わって矢印Ｙの方向に屋外に排出される。従って、縦目地部４裏面側の水滴Ｗが横走りして室内側に侵入することを防止できる。
【００１８】
さらに、本実施例の防水材１の裏面が粘着材１２付きになされているので、この粘着材１２で防水材１が水切り材６とくっつく。
そこで、外壁２の施工時に水切り材６が下方に下がっても、防水材１も水切り材６と一体で下がり、防水材１と水切り材６の相対位置がずれることはない。従って、防水材１を所定の位置に貼設でき、確実に防水性を確保できる。
なお、下地材５の取付け面には、非接着性である発泡ポリエチレンシート５１が貼設されているので、防水材１裏面が粘着材１２付きになされていても、防水材１が下地材５の表面に固着されることはない。従って、水切り材６の下方への下がりを妨げない。
【００１９】
【発明の効果】
請求項１記載の本発明の防水材によると、縦目地部裏面側の水滴が横走りして室内側に侵入することを防止できる。
【００２０】
請求項２記載の本発明の防水材においては、さらに、防水材を所定の位置に貼設でき、確実な防水性を確保できる。
【図面の簡単な説明】
【図１】本発明の一実施例であって、外壁を取り外した状態で示す防水材を具備する外壁防水構造の斜視図である。
【図２】防水材であって、（イ）図は正面図、（ロ）図は底面図である。
【図３】従来の外壁縦目地部の防水構造を示す斜視図である。
【図４】サッシが取り付けられた従来の外壁目地部の防水構造の一例であって、（イ）図は斜視図、（ロ）図は断面図である。
【図５】サッシが取り付けられた従来の防水構造の他例を示す斜視図である。
【符号の説明】
１              防水材
２              外壁
３              外壁パネル
４              縦目地部
５              下地材
６              水切り材
６２            上延部
７              サッシ上枠
１１            Ｖ字状切り込み
１２            粘着材
【図１】
0004101984.tif 000002
【図２】
0004101984.tif 000003
【図３】
0004101984.tif 000004
【図４】
0004101984.tif 000005
【図５】
0004101984.tif 000006